(57)【要約】  【課題】  室外機運搬用の取っ手を外箱の吹出グリル近傍に設け、吹出グリルで覆うことにより、スペース上の制約を受けずに運搬作業性の改善と外観を向上させる。  【解決手段】  外箱８の吹出口７近傍に形成した開口部１３に取っ手１２を設け、吹出口７に取っ手１２を覆うように着脱自在の吹出グリル１４を設けることにより、室外機を運搬する際は吹出グリル１４を取り外して取っ手１２に手指を引っ掛けて行うことができるようにすることで、運搬作業時の安全性と外観の向上を図るものである。【選択図】  図１
2005076956.tif 000002
【特許請求の範囲】
【請求項１】
内部に圧縮機、熱交換器、送風機等を具備し、一面に前記送風機により吐出される空気の吹出口を有する外箱と、前記外箱の吹出口近傍に形成した開口部に係合する取っ手と、前記外箱の吹出口に着脱可能に配設された吹出グリルとを備え、前記吹出グリルは前記吹出口を覆う前記取っ手を覆うように形成したことを特徴とする空気調和機の室外機。
【請求項２】
内部に圧縮機、熱交換器、送風機等を具備し、一面に前記送風機により吐出される空気の吹出口を有する外箱と、前記外箱の吹出口近傍に形成した開口部に係合する室外機運搬時に手指を引っ掛ける取っ手と、前記外箱の吹出口に前記取っ手を覆うように配設された吹出グリルとを備え、吹出グリル上の、取っ手と相対する位置に、手指を挿入する貫通部を形成したことを特徴とする空気調和機の室外機。
【請求項３】
外箱の吹出口近傍に形成した開口部の端部に、室外機の内側へ伸びる係合部を形成し、外側より吹出グリルの貫通部を貫通して前記外箱の開口部端部に形成した係合部に端部を掛止した状態で一方の端部が吹出グリルの前面より前方へ突出する掛止片を設けたことを特徴とする、請求項２記載の空気調和機の室外機。
【請求項４】
開口部と相対する位置に手指を挿入する貫通部を形成した吹出グリルとを備え、前記外箱の吹出口近傍に形成した開口部に、開口部の上下端部を前方に向かって折曲させた折曲片を形成させたことを特徴とする、請求項１〜３のいずれかに記載の空気調和機の室外機。
【請求項５】
開口部の上下端部に形成した前方へ向かって伸びる折曲片の形状を吹出グリル形成した貫通部より先端が小さくなるように、先端に向かうに従い幅が狭小になるような形状を持たせたことを特徴とする、請求項２〜３のいずれかに記載の空気調和機の室外機。
【請求項６】
吹出グリルの貫通部に前記貫通部を塞ぐ着脱可能な化粧カバーを設けたことを特徴とする請求項２〜5のいずれかに記載の空気調和機の室外機。
【発明の詳細な説明】
【技術分野】
【０００１】
本発明は、運搬用の取っ手機構を有する空気調和機の室外機に関するものである。
【背景技術】
【０００２】
従来の空気調和機の室外機は、運搬用に手指を引っ掛ける取っ手を設ける際には外箱における空気吸込口および空気吹出口を覆う吹出グリルを除いた位置に形成されるが、近年コンパクト化のために外箱は小型化する傾向にある反面、性能を確保するために送風機は大型化する傾向にあることから、吹出口は大型化するとともに吹出グリルも大型化するため、外箱における吹出口を除く部分のスペースがなくなり、取っ手を設けることが困難になり、外箱の吹出口を覆う吹出グリルの一部に手指を引っ掛ける取っ手を形成した構成とされている（例えば、特許文献１参照）。
【０００３】
図１０、１１は特許文献１に記載された従来の空気調和機の室外機の斜視図及び部分断面図である。同図において、空気調和機の室外機本体１は外箱２に形成した吹出口３と、下部に室外機運搬時に手指を引っ掛ける取っ手４を形成した吹出口３を覆う吹出グリル５で構成している。
【０００４】
以上のような構成において、室外機運搬時は吹出グリル５に形成した取っ手４に手指を引っ掛けて室外機を持ち上げておこなっている。
【特許文献１】特開平１１−１０８３９８号公報
【発明の開示】
【発明が解決しようとする課題】
【０００５】
しかしながら上記従来の構成では、一般に吹出グリル５は合成樹脂製であるとともに圧縮機（図示せず）等を具備する室外機は重量物であるため、手指を引っ掛ける取っ手４には大きな運搬荷重がかかることになり、取っ手４の強度を向上させる必要がある。さらに吹出グリル５を外箱２に固定する部位においても充分な強度を確保しなければならず、また吹出グリル５は、材料の性質上経年変化で脆くなるという特性から大きな運搬荷重がかかることで変形もしくは破壊してしまうという欠点を有していた。
【０００６】
本発明は従来の課題を解決するもので、外箱のスペース的な制約を受けることなく、充分な強度を持つ取っ手機構を有した空気調和機の室外機の提供を目的とするものである。
【課題を解決するための手段】
【０００７】
前記従来の課題を解決するために、本発明の空気調和機の室外機は、吹出口近傍に取っ手を覆う着脱自在の吹出グリルを形成したものである。
【０００８】
これによって、室外機運搬の際は吹出グリルを取り外すことにより外箱に係合した取っ手を持つことができるため、外箱の吹出グリル近傍のスペースが有効に活用できるとともに、運搬する際の荷重は充分な強度を有する外箱で受けることができる。
【発明の効果】
【０００９】
以上のように本発明の空気調和機の室外機によれば、外箱の吹出口近傍のスペース的な制約を受けることがなく、美観を損なわずに大きな運搬荷重に耐える強度を有した取っ手機構により運搬作業時の安全性を向上させることができる。
【発明を実施するための最良の形態】
【００１０】
以下に、本発明の実施の形態について、図面を参照しながら説明する。
【００１１】
（実施の形態１）
図１、２、３、４は、本発明の第１の実施の形態における空気調和機の室外機の斜視図を示すものである。図１、２、３、４において、空気調和機の室外機本体６は前面に吹出口７、後面に吸込口（図示せず）を有する外箱８内に圧縮機９、熱交換器１０、送風機１１を具備して構成している。吹出口７の近傍には、室外機運搬時に手指を引っ掛ける取っ手１２が外箱８に形成した開口部１３に掛止され、吹出口７には吹出グリル１４が複数のネジ１５により着脱可能に取り付けられている。
【００１２】
一方、外箱８の圧縮機９側の前面中央部には運搬用の取っ手１６が配設され、後面には取っ手１６と相対する位置に運搬用の取っ手１７が配設されている。
【００１３】
以上のように構成された空気調和機の室外機において、室外機本体６を運搬する際は取っ手１２を覆う吹出グリル１４を取り外すことにより、一人が取っ手１６，１７に手指を引っ掛け他の一人が取っ手１２に手指を引っ掛けることにより運搬することができる。
【００１４】
以上のように、本実施の形態においては、外箱８に形成した吹出口７の近傍に開口部１３を設け、開口部１３に室外機運搬時に手指を引っ掛ける取っ手１２を掛止し、吹出口７に取っ手１２を覆うように着脱自在に吹出グリル１４を取り付けることにより、室外機本体６を運搬する際は取っ手１２を覆う吹出グリル１４を取り外すことにより、一人が取っ手１６，１７に手指を引っ掛け他の一人が取っ手１２に手指を引っ掛けることにより運搬することができるため、外箱８の吹出グリル１４近傍のスペースが有効に活用できるとともに、運搬する際の荷重は充分な強度を有する外箱８で受けることになり安全性が向上する。さらに取っ手１２は吹出グリル１４で覆われているので露出することがなく外観も向上する。
【００１５】
また、本実施の形態では、吹出グリル１４に取っ手１２と相対する位置に貫通部１８を形成することにより、貫通部１８より手指を挿入して取っ手１２を持つことができるため、室外機運搬の際は、吹出グリル１４を取り外す必要がなくなることから作業性が向上する。
【００１６】
（実施の形態２）
図５は、本発明の第２の実施の形態における空気調和機の室外機の部分斜視図を示すものである。
【００１７】
図５において、外箱８は、開口部１３の端部に内側へ伸びる係合部１９を形成しており、掛止片２０は、端部に外側より吹出グリル１４に形成した貫通部１８を貫通して開口部１３に形成した係合部１９に掛止する掛止部２１を有し、一方の端部に掛止部２１を係合部１９に掛止した状態で吹出グリル１４の前面より突出する支持部２２を有している。
【００１８】
以上のように構成された空気調和機の室外機において、室外機を運搬する際は、吹出グリル１４の貫通部１８より掛止片２０を挿入し、外箱８に形成した開口部１３の係合部１９に掛止片２０の端部に形成した掛止部２１を掛止させた状態で、一方の端部に形成した支持部２２に手指を引っ掛けて行う。
【００１９】
以上のように、本実施の形態においては、外箱８に形成した開口部１３の端部に内側へ伸びる係合部１９を形成し、開口部１３を覆うように配設した吹出グリル１４に開口部１３と相対する位置に貫通部１８を形成し、端部に吹出グリル１４の外側より貫通部１８を貫通して開口部１３に形成した係合部１９に掛止する掛止部２１を有し、一方の端部に掛止部２１を係合部１９に掛止した状態で吹出グリル１４の前面より前方に突出する支持部２２を有した掛止片２０を設けているので、支持部２２に手指を引っ掛けて室外機の運搬が行えるため運搬作業性が向上するとともに、外箱８の吹出グリル１４近傍のスペースが有効に活用できるとともに、運搬する際の荷重は充分な強度を有する外箱８で受けることになり安全性が向上する。
【００２０】
（実施の形態３）
図６，７，８は、本発明の第３の実施の形態における空気調和機の室外機の部分斜視図を示すものである。
【００２１】
図６，７，８において、外箱８は、吹出口７の近傍に形成した開口部１３の上下端部に前方へ向かって折曲させた折曲片２３を形成しており、吹出グリル１４は、開口部１３と相対する位置に折曲片２３を挿入する貫通部１８を有している。
【００２２】
以上のように構成された空気調和機の室外機において、吹出グリル１４を取付ける際は、貫通部１８に折曲片２３を挿入し、室外機を運搬する際は貫通部１８に手指を挿入して折曲片２３を持って作業を行う。
【００２３】
以上のように、本実施の形態においては、開口部１３の上下端部に前方に向かって折曲させた折曲片２３を形成し、吹出グリル１４に開口部１３と相対する位置に貫通部１８を形成することにより、折曲片２３を貫通部１８に挿入することで吹出グリル１４を取り付ける際の位置決めになるとともに、室外機を運搬する際は吹出グリルの貫通部１８に手指を挿入することで外箱８の開口部１３に形成した折曲片２３を持って運搬が行えることから、外箱８の吹出グリル１４近傍のスペースが有効に活用できるとともに、運搬する際の荷重は充分な強度を有する外箱８で受けることになり安全性が向上する。
【００２４】
また、本実施の形態では、開口部１３の上下端部に前方へ向かって折曲させた折曲片２３の先端を吹出グリル１４に形成した貫通部１８の挿入口より小さくなるように内側に傾斜させることにより、吹出グリル１４を取付ける際は、貫通部１８が挿入しやすくなるとともに貫通部１８が折曲片２３の傾斜に沿って案内され吹出グリル１４は所定の位置に収まるため、吹出グリル１４の取付作業性が向上する。
【００２５】
（実施の形態４）
図９は、本発明の第４の実施の形態における空気調和機の室外機の部分斜視図を示すものである。
【００２６】
図９において、吹出グリル１４に形成した貫通部１８の表面に、着脱可能な化粧カバー２４がネジ２５により配設されている。
【００２７】
以上のように構成された空気調和機の室外機において、室外機を運搬する際は化粧カバー２４を取り外すことにより貫通部１８より手指を挿入して運搬作業を行う。
【００２８】
以上のように、本実施の形態においては、吹出グリル１４に形成した貫通部１８を着脱可能な化粧カバー２４で覆っているため、室外機を運搬する際は化粧カバー２４を取り外して作業が行え、作業終了後は化粧カバー２４を貫通部１８に取り付けることにより、貫通部１８が露出することがなく外観が向上する。なお、貫通部１８を露出させる手段として、化粧カバー２４をネジ２５により着脱させる場合を説明したが、化粧カバー２４の一辺を貫通部１８の一辺に回動自在に支持して掛止しても同様の効果が得られるうえに、化粧カバー２４を紛失する危険性をなくすことができる。
【図面の簡単な説明】
【００２９】
【図１】本発明の実施の形態１における空気調和機の室外機の斜視図
【図２】本発明の実施の形態１における空気調和機の室外機の部分斜視図
【図３】本発明の実施の形態１における空気調和機の室外機の部分斜視図
【図４】本発明の実施の形態１における空気調和機の室外機の部分断面図
【図５】本発明の実施の形態２における空気調和機の室外機の部分斜視図
【図６】本発明の実施の形態３における空気調和機の室外機の部分斜視図
【図７】本発明の実施の形態３における空気調和機の室外機の部分斜視図
【図８】本発明の実施の形態３における空気調和機の室外機の部分斜視図
【図９】本発明の実施の形態４における空気調和機の室外機の部分斜視図
【図１０】従来の空気調和機の室外機の斜視図
【図１１】従来の空気調和機の室外機の部分断面図
【符号の説明】
【００３０】
７  吹出口
８  外箱
９  圧縮機
１０  熱交換器
１１  送風機
１２  取っ手
１３  開口部
１４  吹出グリル
１８  貫通部
１９  係合部
２０  掛止片
２１  掛止部
２２  支持部
２３  折曲片
２４  化粧カバー
【図１】
2005076956.tif 000003
【図２】
2005076956.tif 000004
【図３】
2005076956.tif 000005
【図４】
2005076956.tif 000006
【図５】
2005076956.tif 000007
【図６】
2005076956.tif 000008
【図７】
2005076956.tif 000009
【図８】
2005076956.tif 000010
【図９】
2005076956.tif 000011
【図１０】
2005076956.tif 000012
【図１１】
2005076956.tif 000013